(57)【要約】【課題】少ない部品点数で構成されることで低コストとなり、歪みの発生がないことを課題とする。【解決手段】壁部８３でシリンドリカルレンズ３３が位置決めされ、シリンドリカルレンズ３３の長手方向の他方の端面３３Ｂと壁部８５の上面が接着固定される。このような構成でシリンドリカルレンズ３３がハウジング１６に取付けられるので、取付け工程が非常に簡単で、且つ、取付けに要する部品点数が少なくなり、コストを低く抑えることができる。また、シリンドリカルレンズ３３の光軸近傍から離れた位置である端面３３Ｂに接着剤を使用することで、接着剤によってシリンドリカルレンズ３３の曲面が歪むことがない。これによって、光軸に影響を及ぼすことがないので、シリンドリカルレンズ３３による画質劣化の心配がない。【選択図】    図３
2004287294.tif 000002
【特許請求の範囲】
【請求項１】
光源から出射された光ビームを略平行光とするコリメータレンズ及び平行光を光偏向器の偏向面で線状に結像するシリンドリカルレンズ等のレンズの保持構造において、
光走査装置の筐体に設けられ、第１レンズの下面を支持する支持面と、
前記支持面から立設され、前記第１レンズの主走査方向の一方の端面が突き当てられる第１壁部と、を備え、
前記第１レンズの主走査方向の他方の端面と、前記支持面が接着固定されていることを特徴とするレンズの保持構造。
【請求項２】
前記第１レンズの両側に設けられ、頂面が第１レンズの上面より高い第２壁部と、一方の前記第２壁部の上面に立設された第３壁部とを備え、前記第３壁部に第２レンズの主走査方向の一方の端面が突き当てられ、第２レンズの主走査方向の他方の端面が、他方の第２壁部の頂面に接着固定されていることを特徴とする請求項１に記載のレンズの保持構造。
【請求項３】
前記第１壁部が前記第２壁部及び第３壁部に対して光軸方向にずらして配置されたことを特徴とする請求項２に記載のレンズの保持構造。
【請求項４】
光走査装置の筐体に設けられ、第１レンズの下面を支持する支持面と、前記支持面から立設され、前記第１レンズの主走査方向の一方の端面が突き当てられる第１壁部と、を備え、前記第１レンズの上面と、前記第１壁部の立面が接着固定されていることを特徴とするレンズの保持構造。
【請求項５】
前記第１レンズ及び前記第２レンズは、シリンドリカルレンズであることを特徴とする請求項１〜請求項４のいずれかに記載のレンズの保持構造。
【発明の詳細な説明】
【０００１】
【発明の属する技術分野】
本発明は、デジタル複写機やレーザプリンタ等の画像形成装置に用いられる光走査装置のレンズの保持構造に関する。
【０００２】
【従来の技術】
図１０に示すように、従来の画像形成装置（レーザ複写機、レーザプリンタなど）には、各色に対応した感光体１１６を備えたタンデム方式がある。光走査装置１０２はそれぞれ、イエロー（Ｙ），マゼンタ（Ｍ）、シアン（Ｃ）、ブラック（Ｋ）の各色に対応した光学系を備えているため、高速化に適している。
【０００３】
このような光走査装置では、各々の光源部から各色に対応した光ビームが出射され、出射された光ビームは、図示しないコリメータレンズによって略平行光とされ、図示しないシリンドリカルレンズ、回転多面鏡１０４、ｆθレンズ１０６、反射ミラー１０８、１１０、１１２を経由して各々の色の感光体１１６に向けて出射される。
【０００４】
この光走査装置に用いられるレンズの取付方法として、図１１に示すように、レンズをバネで上から押さえる方法が用いられている（特許文献１）。支持部１３２とレンズ部１３４とからなるレンズユニット１３０において、レンズ部１３４は光軸方向から見て長方形のシリンドリカルレンズが用いられる。このレンズ部１３４は、板バネから形成された上部付勢部１３６と側部付勢部１３８により、支持部１３２の垂直面１３２Ａと水平面１３２Ｂとに当接されて、位置が固定される。そして、レンズ部１３４は支持部１３２に沿って摺動し、ピント合わせができるように構成されている。
【０００５】
しかし、このように上部付勢部１３６、側部付勢部１３８等の弾性部材でレンズ部１３４を固定する方法は、レンズ部１３４をしっかりと固定することはできるが、上部付勢部１３６、側部付勢部１３８をネジで固定する手間がかかる。また、レンズ部１３４には上部付勢部１３６、側部付勢部１３８でしっかりと固定されていることによって負荷がかかり、レンズ部１３４の光ビームが透過する部分を変形させてしまい、光学特性に影響が出てしまうという問題があった。
【０００６】
これを解決するために、レンズの下面をハウジングに接着する方法が用いられているが、ＵＶで硬化する接着剤を用いた場合、レンズの材質やハウジングの材質によっては差はあるものの、接着剤が硬化するときにレンズが歪んで光学特性に悪影響を及ぼしたりすることがあった。
【０００７】
特に、シリンドリカルレンズはそれ自体非常に小さな部品であり、光軸近傍や光走査領域に接着位置を持ってきたりすると曲面が歪んでしまって画質劣化に直結してしまう。また、シリンドリカルレンズを筐体に接着、固定する構成であるため、装置の分解や部品のリサイクル等が困難である。
【０００８】
また、図１２に示すように、高さが異なる２つのビームＡ，Ｂに対応させて、光軸に対して直交する面の上側にビームＡ用のシリンドリカルレンズ１２２、下側にビームＢ用のシリンドリカルレンズ１２４と２段重ねに構成されたレンズユニット１２０を使用することが知られているが、このようなレンズユニット１２０の場合、それぞれのシリンドリカルレンズの調整が個々には行えず、また、シリンドリカルレンズ同士の接着面に用いる接着剤１２６によって、レンズに歪みが生じてしまうことも考えられる。
【０００９】
【特許文献１】
特開２０００−２８４１５７号公報（第１０−１３項、第１４図）
【００１０】
【発明が解決しようとする課題】
本発明は上記事実を考慮し、少ない部品点数で構成されることで低コストとなり、歪みの発生がないレンズの保持構造を提供する。
【００１１】
【課題を解決するための手段】
請求項１に記載の本発明のレンズの保持構造は、光源から出射された光ビームを略平行光とするコリメータレンズ及び平行光を光偏向器の偏向面で線状に結像するシリンドリカルレンズ等のレンズの保持構造において、光走査装置の筐体に設けられ、第１レンズの下面を支持する支持面と、前記支持面から立設され、前記第１レンズの主走査方向の一方の端面が突き当てられる第１壁部と、を備え、前記第１レンズの主走査方向の他方の端面と、前記支持面が接着固定されていることを特徴としている。
【００１２】
請求項１に記載の発明によれば、支持面から立設された第１壁部に第１レンズの主走査方向の一方の端部が突き当てられ、筐体に設けられた支持面に第１レンズの下面が支持されて、第１レンズの主走査方向の他方の端面が支持面と接着固定されている。すなわち、第１壁部で第１レンズが位置決めされ、第１レンズの主走査方向の他方の端面と支持面が接着固定される。
【００１３】
このような構成で光学部品が筐体に取付けられるので、取付け工程が非常に簡単で、且つ、取付けに要する部品点数が少なくなり、コストを低く抑えることができる。また、第１レンズの長手方向の寸法を、光ビームの通過領域に必要とされる大きさだけにすることが可能となる。さらに、第１レンズの下面が長手方向に渡って支持されることで、第１レンズの倒れをなくすことができる。
【００１４】
また、第１レンズの光軸近傍から離れた位置である端面に接着剤を使用することで、接着剤によって第１レンズの曲面が歪むことがない。これによって、光軸に影響を及ぼすことがないので、第１レンズによる画質劣化の心配がない。
【００１５】
さらに、接着剤は第１レンズの一方の端面に接着されるため、再調整の際に第１レンズを筐体から取り外すことが簡単で、しかも接着剤の使用量が微量で済むため、第１レンズをリサイクルする際にも、第１レンズに付着した接着剤が問題となることがない。
【００１６】
ＵＶ等を用いて第１レンズを筐体に接着する場合に、第１レンズの端面に接着場所を設けることで、遮蔽する物がなくＵＶの照射がしやすいので、硬化効率が高く安定性のある接着強度が得られる。
【００１７】
請求項２に記載の本発明のレンズの保持構造は、前記第１レンズの両側に設けられ、頂面が第１レンズの上面より高い第２壁部と、一方の前記第２壁部の上面に立設された第３壁部とを備え、前記第３壁部に第２レンズの主走査方向の一方の端面が突き当てられ、第２レンズの主走査方向の他方の端面が、他方の第２壁部の頂面に接着固定されていることを特徴としている。
【００１８】
請求項２に記載の発明によれば、第１レンズの上面よりも頂面が高い第２壁部が形成されており、この第２壁部に第２レンズが架け渡され、第３壁部で第２レンズが位置決めされ、第２レンズの端面が第２壁部の頂面と接着固定される。
【００１９】
すなわち、第２レンズは第１レンズの上面よりも高い位置に固定されているので、高さの異なる２つの光ビームに対応させて第１レンズと第２レンズを設置することができる。
【００２０】
このように、高さが異なる複数の光ビームに対応させて複数のレンズを設置することができるので、それぞれのレンズの調整が行い易い。また、レンズ同士を接着する必要がないために、接着剤によるレンズの歪みが発生しない。
【００２１】
請求項３に記載の本発明のレンズの保持構造は、前記第１壁部が前記第２壁部及び第３壁部に対して光軸方向にずらして配置されたことを特徴としている。
【００２２】
請求項３に記載の発明によれば、第１壁部と第２壁部及び第３壁部が光軸方向にずらして配置されているので、第１壁部で位置決めされた第１レンズと第３壁部で位置決めされた第２レンズは光軸方向へ前後にずらして配置されている。これによって、各々のレンズの調整が行い易く、接着固定する際に遮蔽する物がないためにＵＶ照射が簡単に行える。
【００２３】
請求項４に記載の本発明のレンズの保持構造は、光走査装置の筐体に設けられ、第１レンズの下面を支持する支持面と、前記支持面から立設され、前記第１レンズの主走査方向の一方の端面が突き当てられる第１壁部と、を備え、前記第１レンズの上面と、前記第１壁部の立面が接着固定されていることを特徴としている。
【００２４】
請求項４に記載の発明によれば、支持面から立設された第１壁部に第１レンズの一方の端面が突き当てられ、筐体に設けられた支持面に第１レンズの下面が支持されて、第１レンズの上面と第１壁部の立面が接着固定されている。すなわち、第１壁部で第１レンズが位置決めされ、第１レンズの上面と第１壁部の立面が接着固定される。
【００２５】
このような構成にすることで、第１レンズの位置決めを行いながら接着固定でき、接着剤の固化によって第１レンズの位置ずれが発生することが極力抑えられるので、第１レンズが筐体に対して正確に固定される。
【００２６】
請求項５に記載の本発明のレンズの保持構造は、前記第１レンズ及び前記第２レンズは、シリンドリカルレンズであることを特徴としている。
【００２７】
請求項５に記載の発明によれば、２つ以上の複数の光ビームを使用する場合、複数の光ビームに対応してそれぞれ配置しなければならない光学部品にシリンドリカルレンズがある。複数の光ビームの高さに合わせて複数のシリンドリカルレンズを積み上げて使用する必要がなくなるので、シリンドリカルレンズの固定方法が簡単で、且つ、積み上げたときに生じる累積誤差がなく、高画質を得ることができる。
【００２８】
【発明の実施の形態】
図１には、本発明の第１の実施形態に係る光走査装置１０、１２の概略構成図が示されている。
【００２９】
（光走査装置の概要）
画像形成装置は、Ｙ（イエロー）、Ｍ（マゼンタ）の各色に対応した光学系を備えた光走査装置１０と、Ｃ（シアン）、Ｋ（ブラック）の各色に対応した光学系を備えた光走査装置１２を備える。
【００３０】
この光走査装置１０、１２を備えた画像形成装置には、Ｙ色、Ｍ色、Ｃ色、Ｋ色のそれぞれに対応する感光体Ｙ１４、Ｍ１４、Ｃ１４、Ｋ１４が所定間隔で配置されている。
【００３１】
ここでは、Ｙ色、Ｍ色、Ｃ色の各色に対応する感光体Ｙ１４、Ｍ１４、Ｃ１４はカラーモードのときにのみ使用されるが、Ｋ色に対応する感光体Ｋ１４は白黒モードのときにも使用されるので、感光体の寿命の観点からＫ色に対応する感光体Ｋ１４の径のみが他の感光体Ｙ１４、Ｍ１４、Ｃ１４の径よりも大きく設定されている。
【００３２】
光走査装置１０と光走査装置１２とはほぼ同じ構成とされているので、ここでは光走査装置１０についてのみ説明する。
【００３３】
図２に示すように、光走査装置１０はハウジング１６を備える。ハウジング１６は、底板１８と底板１８の外周から立設する周壁２０とで構成されている。周壁２０の外側には、ハウジング１６内へ向かって、Ｍ色に対応する光ビームＭを出射する光源部２２と、Ｙ色に対応する光ビームＹを出射する光源部２３とが、出射方向が互いに略９０度となるように配置されている。また、光ビームＹを出射する光源部２３は、光ビームＭを出射する光源部２２に対して高さ方向をずらして設置され、光ビームＹと光ビームＭとが高さ方向に所定の距離離間するようにされている。
【００３４】
光源部２２から出射された光ビームＭの光路上には、光ビームＭを平行光にするためのコリメータレンズユニット２４が設けられている。コリメータレンズユニット２４を通過した光ビームＭは、反射ミラー２６の下を通り抜け、後述するスリット板１５０に入射して光路上に設けられたハーフミラー３０に入射する。ハーフミラー３０は、通過する光ビームＭと、反射し光パワーモニタ２１に入射する光ビームＭとに所定の割合で振り分ける。ハーフミラー３０を通過した光ビームＭは、シリンドリカルレンズ３３を通過し、図５に示すように、光路上に設けられたポリゴンミラー４０に入射する。
【００３５】
ポリゴンミラー４０には複数の反射鏡面が設けられ、ポリゴンミラー４０に入射した光ビームＭは偏向面で偏向されて、図１に示すように、ハウジング１６内に配設されたｆθレンズ４２、４４に入射する。ポリゴンミラー４０、ｆθレンズ４２、４４は、光ビームＭ、Ｙを同時に走査できる大きさになっている。（光ビームＹの光学系は、光ビームＭとほぼ同じなので、説明を省略する。）
ここで、ｆθレンズ４４を通過した２色の光ビームＭ、Ｙが分離される。ｆθレンズ４４を通過した光ビームＭ、Ｙは、それぞれ副走査側にパワーを持つシリンドリカルミラー４６、５４に反射される。
【００３６】
シリンドリカルミラー４６によって反射された光ビームＭは、反射ミラー４８へ折り返され、さらに、シリンドリカルミラー６０、反射ミラー６２によって偏向され、感光体ドラム１４Ｍ上に結像して静電潜像を形成する。
【００３７】
一方、シリンドリカルミラー５４によって反射された光ビームＹは、反射ミラー５５に出射され、さらに、シリンドリカルミラー５７によって偏向され、感光体ドラム１４Ｙ上に結像して静電潜像を形成する。
【００３８】
以上がＭ色とＹ色の光学系の概要であり、Ｙ色の光学系はＣ色の光学系と同構成とされる。しかし、Ｋ色に対応する感光体１４Ｋは他の色の感光体よりも径が大きいため、Ｍ色の光学系の構成において、シリンドリカルミラー６０、反射ミラー６２の代わりにシリンドリカルミラー５０と反射ミラー５２が使用される。
【００３９】
また、光ビームＣと光ビームＫとの光路長を略同一とさせるため、シリンドリカルミラー６０、反射ミラー６２と、シリンドリカルミラー５０、反射ミラー５２とでは配置位置が若干異なっている。
【００４０】
Ｙ色に対応する感光体１４ＹとＣ色に対応する感光体１４Ｃとの径は同一であることから、同一の光学系を使用することができるが、Ｍ色に対応する感光体１４ＭとＫ色に対応する感光体１４Ｋとの径は異なり、同一の光学系を使用することができないため、ここでは三種類の光学系が使用されることになる。
【００４１】
なお、本実施形態で使用する光学系は、図１に示すように、画像形成装置に設けられた光走査装置１０、１２の取付面に対し、所定角度傾かせている。
【００４２】
また、Ｍ色の光学系では、副走査方向のスキャン位置調整を反射ミラー４８で行い、ＳＫＥＷの調整をシリンドリカルミラー６０で行っている。一方、Ｙ色の光学系では、図５に示すように、反射ミラー５５はポリゴンミラー４０の上方に配置されているので、副走査方向のスキャン位置調整はシリンドリカルミラー５４で行い、ＳＫＥＷの調整をシリンドリカルミラー５７で行っている。
【００４３】
このように、反射ミラー５５に調整機構を持たせないことで、ポリゴンミラー４０（図４に示す）を備えた光偏向器３７を交換する際に、反射ミラー５５を単に取付けるだけで交換は完了するので、調整する必要がない。このため、光偏向器３７の交換が容易となり、光学性能が保持される。
【００４４】
（回路基板の取付構成）
図２および図３には、光ビームを副走査方向に集光する略長方体形状のシリンドリカルレンズ３２、３３が示されている。
【００４５】
このシリンドリカルレンズ３２、３３は、光ビームＭ、Ｙの光路上に配置されており、シリンドリカルレンズ３２、３３を通過した光ビームは、ポリゴンミラー４０の各偏向面に線状に結像した後、ポリゴンミラー４０で偏向され、ｆθレンズ４４を介して感光体ドラム１４上にそれぞれ結像される。
【００４６】
光ビームＭは光ビームＹに対して、高さ方向に所定距離離間しているので、これに対応して、光ビームＭが入射するシリンドリカルレンズ３３と、光ビームＹが入射するシリンドリカルレンズ３２とは、高さ方向に所定距離離間して配置されている。
【００４７】
図３に示すように、ハウジング１６には、支持面８０を構成する支持台８２が設けられている。支持台８２には、光ビームの光軸方向を長手方向とした板状の壁部８３が立設されている。また、壁部８３と対向するように、支持面８０には壁部８５が形成されている。
【００４８】
このような構成で、光ビームＭが透過される略直方体のシリンドリカルレンズ３３の長手方向（主走査方向）の一方の端面３３Ａを壁部８３の立面に突き当て、シリンドリカルレンズ３３の長手方向の一方の位置決めがされている。また、シリンドリカルレンズ３３の下面３３Ｃは支持面８０に支持されており、シリンドリカルレンズ３３は上下方向（副走査方向）にも位置決めがされている。また、シリンドリカルレンズ３３の他方の端面３３Ｂは、壁部８５の上面に接着剤を用いて固定されている。
【００４９】
一方、壁部８３の光源２２側には壁部８７が形成されている。壁部８７には段差部８７Ａが形成され、この段差部８７Ａの立面には光ビームＹが透過する略直方体のシリンドリカルレンズ３２の長手方向の一方の端面３２Ａが突き当てられ、シリンドリカルレンズ３２の長手方向の一方の位置決めがされている。また、段差部８７Ａのステップ面によってシリンドリカルレンズ３２の下面３２Ｃの端部が支持され、シリンドリカルレンズ３２の上下方向の位置決めがされている。
【００５０】
また、シリンドリカルレンズ３２の長手方向の他方には、壁部８７から所定の距離離間させた位置に台部８４が立設されている。この台部８４の上面には、シリンドリカルレンズ３２の他方の端部が支持されている。さらに、台部８４の上面とシリンドリカルレンズ３２の他方の端面３２Ｂが接着剤を用いて固定されている。
【００５１】
段差部８７Ａのステップ面及び台部８４の上面は、シリンドリカルレンズ３３の上面よりも垂直方向に高くなっており、段差部８７Ａと台部８４にシリンドリカルレンズ３２が架け渡されていることで、シリンドリカルレンズ３２の下方を、光ビームＭが通り抜ける構成となっている。
【００５２】
なお、本実施形態では、シリンドリカルレンズ３２の長手方向の他方の端面３２Ｂを台部８４の上面に、シリンドリカルレンズ３３の他方の端面３３Ｂを壁部８５の上面に接着固定したが、光ビームの通過領域に影響を及ぼさない位置であれば、シリンドリカルレンズ３２の上面の端部を壁部８７の上面に、シリンドリカルレンズ３３の一方の端面３３Ａを壁部８３の上面に接着固定してもよい。
【００５３】
次に、本発明の光走査装置の各部位について説明する。
【００５４】
図５に示すように、ハウジング１６は取付部３４、３５、３６を有し、この取付部３４、３５、３６を介して画像形成装置に設けられた取付面に取付けられている。
【００５５】
取付部３４は開口部６４、６６間のハウジング１６の側壁２０Ｂの外側に設けられている。また、取付部３５は開口部６４、６６間の側壁２０Ａの外側に設けられている。さらに、取付部３６は光偏向器３７の近傍の側壁２０Ｃの外側に設けられている。
【００５６】
ハウジング１６には開口部６４、６６が形成されているため、この開口部６４、６６間のハウジング１６の剛性は弱くなり、光偏向器３７等からの振動を受け易くなる。ここで、取付部３４、３５を開口部６４、６６間に配置することで、ハウジング１６の剛性を上げることができる。また、取付部３６を光偏向器３７の近傍に設けることによって、光偏向器３７が発する振動を抑えることができ、光学部品へ及ぼす影響を最小限に抑えることができる。
【００５７】
ハウジング１６の隅に取付部を設けた場合には、熱等の影響によるハウジング１６の変形により、ハウジング１６が副走査方向に伸縮できなくなる。これによって、光学部品の性能に影響を及ぼし易くなるという問題が発生する。
【００５８】
本実施形態では、取付部３４、３５、３６で構成される三角形の外側に光学部品を配置することによって、光学部品が取付けられた部分が副走査方向に伸縮するようになり、画質、感光体への入射位置に影響を及ぼしにくくすることができる。
【００５９】
一方、三角形の外側に配置された部分のハウジング１６にはリブが形成されており、これによって剛性を保持しているので、外部振動に耐え得る構成となっている。したがって、ハウジング１６を取付部３４、３５、３６で画像形成装置に取付けたとき、ハウジング１６は全体的に剛性を有する。
【００６０】
図２に示すように、ハウジング１６の側壁２０Ｂの外側には光ビームＭを出射する光源部２２が設けられており、側壁２０Ｃの外側には光ビームＹを出射する光源部２３が設けられている。
【００６１】
光源部２２と光源部２３とは、構成がほぼ同じなので、ここでは光源部２２について説明をする。
【００６２】
光源部２２は連結部材３８を備えており、連結部材３８はハウジング１６の外壁２０Ｂの外側に取付けられている。この連結部材３８のハウジング１６に取付けられた反対側には、図示しないレーザチップ（発光源）を保持するための保持部材３９が取付けられている。この保持部材３９は、通称ＬＣＣ（Ｌｅａｄｌｅｓｓ  Ｃｈｉｐ  Ｃａｒｒｉｅｒ）と呼ばれており、材質としてここではセラミックが使用されている。
【００６３】
保持部材３９の側壁２０Ｂと反対側には、電気回路が実装された回路基板４１が装着されており、レーザチップと回路基板４１とは保持部材３９を介して電気的に接続されている。レーザチップとしては、面発光型の半導体レーザが使用されており、レーザチップから一度に複数本のレーザが発光される構成となっている。
【００６４】
ハウジング１６の外壁２０Ｂには基準ピン１９が突設されており、この基準ピン１９は連結部材３８に設けられた孔（図示省略）に挿通され、保持部材３９のレーザチップの発光方向に対して略垂直な面３９Ａに突き当てられる。これによって、保持部材３９の位置調整が行われており、ハウジング１６に対する光ビームの出射位置が決定される。
【００６５】
また、図６に示すように、光源部２２（図２参照）の回路基板４１と光源部２３（図２参照）の回路基板４３とは、ハウジング１６に対して高さ方向に所定距離離間した関係で設置されている。  回路基板４１、４３は発光位置が異なるため、異なる基板が使用されており、ハウジングの高さ方向の幅からはみ出て画像形成装置本体と干渉しない大きさで作製されている。
【００６６】
光源部２２の回路基板４１と光源部２３の回路基板４３との間には、画像書込み位置検出素子（ＳＯＳセンサ）４５が配置されており、ハウジング１６に対して高さ方向に、回路基板４１、４３の高さと異なるようにされている。これにより、ハウジング１６を形成する際の金型構造において、回路基板４１、４３の取付部とＳＯＳセンサ４５の取付部とを形成するスライド構造が複雑にならない。
【００６７】
また、これらの光源部２２、２３は、図示しないコントローラ側に配置されており、これによって図示しないハーネスを不用意に長くすることが抑えられ、画質の劣化や電気ノイズによる影響が最小限となる。
【００６８】
図２および図７には、コリメータレンズユニット２４が示されている。コリメータレンズユニット２４は、光源部２２、２３からそれぞれ出射された光ビームＭ、Ｙを平行光にする。
【００６９】
図７に示すように、コリメータレンズユニット２４は、図示しないガラス製のコリメータレンズと、アルミ製または樹脂製のレンズホルダ２５で構成され、これらはＵＶ等の手段で接着されている。レンズホルダ２５は、鏡筒部２７を備え、この鏡筒部２７にはスリット２７Ａが形成されており、鏡筒部２７内壁面での光ビームの乱反射や、他の色の光学系への混入を防ぐ。
【００７０】
また、レンズホルダ２５の上部には穴部２８が設けられており、治工具等により光ビームの径を調整時する際に、位置規制が行えるようになっている。
【００７１】
図２および図７に示すように、光源部２２から出射され、コリメータレンズユニット２４で平行光とされた光ビームＭの光路先には、スリット板１５０が設けられている。スリット板１５０は底板１５２を有し、ハウジング１６の底板１８に取付けられる。底板１５２からは側板１５４が立設しており、側板１５４の一方の端部１５４Ａの上側には側板１５６が、他方の端部１５４Ｂの下側には側板１５８が、それぞれ底板１５２に対して略垂直となるように形成されている。
【００７２】
側板１５６と側板１５８とにはそれぞれスリット１６０、１６２が形成されており、光源部２２から出射された光ビームＭはスリット１６２を通過し、光源部２３から出射された光ビームＹはスリット１６０を通過して、それぞれ所定の大きさに絞られる。
【００７３】
このスリット板１５０のスリット１６０と、レンズホルダ２５に設けられたスリット２７Ａの二重のスリットによって、光ビームのレンズホルダ２５の鏡筒部２７内壁面での乱反射や他の色の光学系へのビームの混入を阻止する対策（迷光対策）が施されている。
【００７４】
さらに、レンズホルダ２５の内筒部の材質がアルミの場合には、黒色酸化シール等の処理が施し、樹脂の場合には黒色の材質を使用することで効果的な迷光対策を取っている。
【００７５】
一方、図８に示すように、ハウジング１６の底板１８には、光ビームＭが通過する開口部６４と、光ビームＹが通過する開口部６６とが形成されている。
【００７６】
この開口部６４、６６には、それぞれ透光性の高い長板状のシールガラス６８、７０が装着可能とされている。このシールガラス６８、７０は、感光体近傍に配置される帯電装置、現像装置からそれぞれ生じる放電生成物やトナークラウド、画像形成装置の外部から感光体近傍に設置される光走査装置の内部に侵入する塵埃によって、光学部品に汚れが付着して引き起こされる画質劣化を防止する。
【００７７】
ここで、開口部６４と開口部６６のシール構造は同一なので、開口部６４を例に採って説明する。
【００７８】
ハウジング１６の周壁２０Ａには、開口部６４の開口面の延長線上に、略矩形状のシールガラス挿入口７２が穿設されている。シールガラス挿入口７２から透光性のシールガラス６８を挿入し、開口部６４を閉塞してハウジング１６内部を密封状態にすることで、最終ミラーからの光ビームＭ、Ｙを感光体１４Ｍ、１４Ｙに透光させるとともに、ハウジング１６内の光学部品を塵埃等から守る。
【００７９】
シールガラス６８とシールガラス７０は、走査方向の長さは略同一で、副走査方向の幅が異なっている。これは、光ビームＭに対応する感光体１４Ｍへの光路と、光ビームＫに対応する感光体１４Ｋへの光路が若干異なるため、その両者を共通のシールガラスで構成させるために、シールガラス７０に対して副走査方向に幅広にしたためである。
【００８０】
一方、開口部６４の長手方向の内壁８２からは、レール７６が突設されている。このレール７６にシールガラス６８が支持され、ハウジング１６の中へスライド可能（矢印Ａ方向）に装着させる。
【００８１】
また、内壁８２のレール７６の上方に、突起部７８が突設されている。突起部７８は光学部品から離れた位置に設けられ、光学部品に影響を及ぼさないようにされている。また、突起部７８は、内壁８２から副走査方向にレール７６を超えない突出長とされ、弾性変形しやすくなっている。さらに、レール７６と突起部７８との間の距離は、シールガラス６８の厚さよりも若干小さくされている。
【００８２】
シールガラス６８がシールガラス挿入口７２からハウジング１６内へ挿入されると、シールガラス６８は矢印Ａ方向にスライドしながら突起部７８の下に潜り込む。レール７６と突起部７８との間の距離はシールガラス６８の厚みよりも若干小さくされているので、突起部７８はシールガラス６８によって上方向へ弾性変形し、シールガラス６８をレール７６と突起部７８との間に挟持する。上方向へ弾性変形した突起部７８は、弾性復帰しようとしてシールガラス６８側に押圧力がかかるので、シールガラス６８はしっかりとレール７６との間に挟持され、防塵性を確実なものとする。
【００８３】
一方、図２に示すように、本発明では、光源として面発光レーザを用いる。この面発光レーザを用いる場合、多数本ビームを出力できるというメリットを有する反面、後方に出射するバックビームがないため、面発光レーザから出射した光ビームの一部を分離して光ビームの光量を検出する必要がある。
【００８４】
ここでは、その分離をハーフミラー３０で行い、ハーフミラー３０によって分離された光ビームは、ハーフミラー３０と光量検出モニタ基板１７４（ＭＰＤ基板）との間に設置されたレンズ１７５へ入射する。レンズ１７５は、高さの異なる光ビームＹと光ビームＭを集光し、ＭＰＤ基板１７４へ向けて出射する。
【００８５】
ＭＰＤ基板１７４は回路基板１７６を備え、回路基板１７６にはフォトダイオード素子２１が設けられている。
【００８６】
ＭＰＤ基板１７４に入射した光ビームは、フォトダイオード素子２１の図示しない受光面で光量が検出され、フォトダイオード素子２１からの信号がコネクタ１６８へ伝えられる。各々の光ビームからの信号は、コネクタ１６８から図示しない光ビーム駆動用の回路基板に入力され、各々の光出力の制御が行われる。
【００８７】
一方、ハウジング１６の底板１８には、開口部１８５が穿設されており、フォトダイオード素子２１が挿入可能となっている。ＭＰＤ基板１７４をハウジング１６の底板１８に取付けたときにフォトダイオード素子２１がハウジング１６内部へ挿入されるようになっている。
【００８８】
ＭＰＤ基板１７４をハウジング１６に取付けるとき、回路基板１７６はハウジング１６の底面に密着するので、開口部１８５は回路基板１７６によって完全に塞がれた状態になり、ハウジング１６内部は密封される。
【００８９】
さらに、回路基板１７６にはフォトダイオード素子２１からの信号を外部に出力するコネクタ１６８が設置されている。コネクタ１６８は、ＭＰＤ基板１７４をハウジング１６に取付けたとき、ハウジング１６の外部に位置するように配置されており、図示しないハーネスが回路基板１７６に対して略垂直方向に装着されるようになっている。
【００９０】
このように、フォトダイオード素子２１のみをハウジング１６内に配置し、コネクタ１６８をハウジング１６の外部に配置することで、ハーネスの取付作業性を向上させるとともに、防塵性を損なうことがない。
【００９１】
また、図９に示すように、ハウジング１６のカバー１６４には、端部に沿って突起部１６８が突設されている。このように、カバー１６４をハウジング１７のカバー１６６と異なる形状にすることで、ほぼ同一形状のハウジング１６とハウジング１７とが、カバーをした状態でも見分けることが可能となる。これによって、フィールド交換時の誤取り付けや、誤組み立ての防止となる。
【００９２】
さらに、本実施例では、図１に示されるように、ハーフミラー３０に入射する光ビームＭに対し、ハーフミラー３０を通過した光ビームＭの角度が約３度となるように、ハーフミラー３０の配置角度を決定している。
【００９３】
このように光ビームＭの入射光に対し、この光ビームＭがハーフミラー３０を通過して微少角度偏光することで、ハーフミラー３０の大きさを最小限に抑えることができ、さらに、光ビームＭをハウジング１６の外側から出射させることでハウジング１６の副走査方向の大きさを抑え、光走査装置１０の小型化に寄与している。
【００９４】
次に、第１の実施の形態の作用について説明する。
【００９５】
図３に示すように、  支持面８０から立設された壁部８３にシリンドリカルレンズ３３の長手方向（主走査方向）の一方の端面３３Ａが突き当てられ、ハウジング１６に設けられた支持面８０にシリンドリカルレンズ３３の下面３３Ｃが支持されて、シリンドリカルレンズ３３の長手方向の他方の端面３３Ｂが支持面８０に設けられた壁部８５の上面と接着固定されている。すなわち、壁部８３でシリンドリカルレンズ３３が位置決めされ、シリンドリカルレンズ３３の長手方向の他方の端面３３Ｂと壁部８５の上面が接着固定される。
【００９６】
このような構成でシリンドリカルレンズ３３がハウジング１６に取付けられるので、取付け工程が非常に簡単で、且つ、取付けに要する部品点数が少なくなり、コストを低く抑えることができる。また、シリンドリカルレンズ３３の長手方向の寸法を、光ビームＭの通過領域に必要とされる大きさにすることが可能となる。さらに、シリンドリカルレンズ３３の下面３３Ｃが長手方向に渡って支持されることで、シリンドリカルレンズ３３の倒れをなくすことができる。
【００９７】
また、シリンドリカルレンズ３３の光軸近傍から離れた位置である端面３３Ｂに接着剤を使用することで、接着剤によってシリンドリカルレンズ３３の曲面が歪むことがない。これによって、光軸に影響を及ぼすことがないので、シリンドリカルレンズ３３による画質劣化の心配がない。
【００９８】
さらに、接着剤はシリンドリカルレンズ３３の一方の端面３３Ｂに接着されるため、再調整の際にシリンドリカルレンズ３３をハウジング１６から取り外すことが簡単で、しかも接着剤の使用量が微量で済むため、シリンドリカルレンズ３３をリサイクルする際にも、シリンドリカルレンズ３３に付着した接着剤が問題となることがない。
【００９９】
ＵＶ等を用いてシリンドリカルレンズ３３を筐体に接着する場合に、シリンドリカルレンズ３３の端面に接着場所を設けることで、遮蔽する物がなくＵＶの照射がしやすいので、硬化効率が高く安定性のある接着強度が得られる。
【０１００】
また、シリンドリカルレンズ３３の上面よりも高い位置に形成された壁部８７の段差部８７Ａと壁部８４でシリンドリカルレンズ３２が位置決めされ、シリンドリカルレンズ３２の端面３２Ｂが壁部８４の上面と接着固定される。
【０１０１】
すなわち、シリンドリカルレンズ３２はシリンドリカルレンズ３３の上面よりも高い位置に固定されているので、高さの異なる２つの光ビームに対応させてシリンドリカルレンズ３３とシリンドリカルレンズ３２を設置することができる。
【０１０２】
このように、高さが異なる光ビームＹ、Ｍに対応させてシリンドリカルレンズ３２、３３を設置することができるので、シリンドリカルレンズ３２、３３の調整が行い易い。また、シリンドリカルレンズ３２、３３を接着する必要がないため、接着剤によるシリンドリカルレンズ３２、３３の歪みが発生しない。
【０１０３】
次に、第２の実施の形態に係る光走査装置のシリンドリカルレンズの取付けについて説明する。
【０１０４】
図４に示すように、ハウジング１６には、支持面８０を構成する支持台８２が設けられている。支持台８２には、光ビームの光軸方向を長手方向とした板状の壁部９０が立設されている。
【０１０５】
このような構成で、壁部９０には光ビームＭが透過される略直方体のシリンドリカルレンズ３３の長手方向の一方の端面３３Ａが突き当てられ、シリンドリカルレンズ３３の長手方向の一方の位置決めがされている。また、シリンドリカルレンズ３３の下面３３Ｃは支持面８０に支持されており、シリンドリカルレンズ３３は上下方向にも位置決めがされている。
【０１０６】
シリンドリカルレンズ３３の上面は、壁部９０の立面に接着剤を用いて固定されている。
【０１０７】
一方、壁部９０の上面の光源部２２側には壁部９２が形成されている。また、壁部９０と対向するように、支持面８０には台部９５が形成されている。この壁部９２には光ビームＹが透過する略直方体のシリンドリカルレンズ３２の長手方向の一方の端面３２Ａが突き当てられ、シリンドリカルレンズ３２の長手方向の一方の位置決めがされている。また、壁部９０の上面と台部９５の上面にシリンドリカルレンズ３２の下面３２Ｃが支持され、シリンドリカルレンズ３２の上下方向の位置決めがされている。
【０１０８】
シリンドリカルレンズ３２の上面の端部は、壁部９２の立面に接着剤を用いて固定されている。
【０１０９】
次に、第２の実施の形態の作用について説明する。
【０１１０】
図４に示すように、シリンドリカルレンズ３３は壁部９０で位置決めされ、シリンドリカルレンズ３３の上面の端部と壁部９０の立面が接着固定される。また、シリンドリカルレンズ３２は壁部９２で位置決めされ、シリンドリカルレンズ３２の上面の端部と壁面９２の立面が接着固定される。
【０１１１】
このような構成にすることで、シリンドリカルレンズ３２、３３の位置決めを行いながら接着固定でき、接着剤の固化によってシリンドリカルレンズ３２、３３の位置ずれが発生することが極力抑えられるので、シリンドリカルレンズ３２、３３がハウジング１６に対して正確に固定される。
【０１１２】
なお、第２の実施の形態においては、シリンドリカルレンズ３２の上面の端部と壁部９２の立面、シリンドリカルレンズ３３の上面の端部と壁部９０の立面でそれぞれ接着固定したが、シリンドリカルレンズ３２の端面３２Ｂと台部９５の立面及びシリンドリカルレンズ３３の端面３３Ｂと支持面８０で接着してもよく（図中、点線で示した位置）、これによって、より確実にシリンドリカルレンズ３２、３３が固定される。
【０１１３】
また、本発明は実施形態において、シリンドリカルレンズの保持構造として説明したが、シリンドリカルレンズに限らず、ｆθレンズやハーフミラーなどにも適用可能である。
【０１１４】
【発明の効果】
本発明は上記構成としたので、少ない部品点数で構成されることで低コストとなり、歪みの発生がない。
【図面の簡単な説明】
【図１】本実施の形態に係る光走査装置の光学系を示す図である。
【図２】本実施の形態に係る光走査装置を正面から見た部分概略図である。
【図３】（Ａ）第１の実施形態に係る光走査装置のシリンドリカルレンズの構成と取付け方法を示す分解斜視図であり、（Ｂ）第１の実施形態に係る光走査装置のシリンドリカルレンズの構成と取付け方法を示す図である。
【図４】第２の実施形態に係る光走査装置のシリンドリカルレンズの構成と取付け方法を示す図である。
【図５】本実施の形態に係る光走査装置の構成を示す正面図である。
【図６】本実施の形態に係る光走査装置の光源部を示す図である。
【図７】本実施の形態に係る光走査装置のコリメータレンズユニットとスリットの構成を示す図である。
【図８】本実施の形態に係るハウジングの開口部とシールガラスを示す部分斜視図である。
【図９】本実施の形態に係る光走査装置のハウジングのカバーを示す図である。
【図１０】従来の光走査装置の構成を示す図である。
【図１１】従来の光走査装置に用いられるシリンドリカルレンズの固定方法を示す図である。
【図１２】従来の光走査装置に用いられる複数のシリンドリカルレンズの２段重ねの構成を示す図である。
【符号の簡単な説明】
１０    光走査装置
１６    ハウジング（筐体、支持部）
３２    シリンドリカルレンズ（第２レンズ）
３３    シリンドリカルレンズ（第１レンズ）
８０    支持面
８３    壁部（第１壁部）
８４    壁部（第２壁部）
８７    壁部（第３壁部）
９０    壁部
９２    壁部
【図１】
2004287294.tif 000003
【図２】
2004287294.tif 000004
【図３】
2004287294.tif 000005
【図４】
2004287294.tif 000006
【図５】
2004287294.tif 000007
【図６】
2004287294.tif 000008
【図７】
2004287294.tif 000009
【図８】
2004287294.tif 000010
【図９】
2004287294.tif 000011
【図１０】
2004287294.tif 000012
【図１１】
2004287294.tif 000013
【図１２】
2004287294.tif 000014